(57)【要約】【課題】    陳列されている商品が経時的に煩雑となっていくことを解決することにより、人手の省力化に資することができる陳列棚装置を提起することを課題とする。容器の整列を確実にするための仕切り板であって、かつ、取り扱いやすい構造と軽量化のためのプラスチック製の仕切り板を提供することにある。【解決手段】    平板状の仕切り板６の両面に対称のリブ４をそれぞれ設けるとともに、前記仕切り板６の両端近傍に、それぞれストッパー１に係止される細長孔７を形成したことを特徴とするプラスチック製仕切り板。【選択図】    図１
2007029687.tif 000002
【特許請求の範囲】
【請求項１】
商品を陳列するための棚板と棚板上に載置された商品を仕切るための仕切り板において、
平板状の仕切り板の両面に対称のリブをそれぞれ設けるとともに、前記仕切り板の両端近傍に、それぞれストッパーに係止される細長孔を形成したことを特徴とするプラスチック製仕切り板。
【請求項２】
前記請求項１において、
前記格子状リブを、前記仕切り板の長手方向に対して斜めに形成して、前記仕切り板の反り防止と強度補強をしたことを特徴とするプラスチック製仕切り板。
【請求項３】
前記請求項１ないし２において、前記細長孔の少なくとも一方をだるま穴形状としたことを特徴とするプラスチック製仕切り板。
【請求項４】
前記請求項１ないし３において、
前記平板状の仕切り板の両面に、射出成形機から射出される熔融樹脂を貯留するとともに、熔融樹脂を加圧して放出するための誘導帯を形成したことを特徴とするプラスチック製仕切り板。
【請求項５】
前記請求項１ないし４において、
上部が鋸歯状に形成された鋸歯状係止板に装着されることを特徴としたプラスチック製仕切り板。
【請求項６】
商品を陳列するための棚板と棚板上に載置された商品を仕切るための仕切り板において、
射出成形金型の上型と下型にそれぞれ仕切り板を形成する仕切り板用凹部と、前記仕切り板用凹部の底部に仕切り板の長手方向に対して斜めになる格子状リブ溝を形成して、成形品の反り防止と強度補強をしたことを特徴とするプラスチック製仕切り板を成形するための金型。
【請求項７】
商品を陳列するための棚板と棚板上に載置された商品を仕切るための仕切り板において、
射出成形金型の上型と下型にそれぞれ仕切り板を形成する仕切り板用凹部と、前記仕切り板用凹部の底部に仕切り板の長手方向に対して斜めになる格子状リブ溝を形成するとともに、前記仕切り板用凹部の底部に射出成形機から射出される熔融樹脂を貯留するとともに、熔融樹脂を加圧して放出するための誘導帯溝を形成したことを特徴とするプラスチック製仕切り板を成形するための金型。
【請求項８】
前記請求項６ないし７において、
前記誘導帯溝を前記格子状リブ溝よりも浅く形成したことを特徴とするプラスチック製平板を成形するための金型。
【請求項９】
前記請求項６ないし８において、
射出成形金型の上型と下型のそれぞれの平板用凹部と格子状リブ溝とを対称に形成し、溶融樹脂の射出後に、前記上型と前記下型に離型のための同等の負荷をかけるとともに、同じタイミングで前記上型と前記下型との離型操作をすることを特徴とする成形方法。
【発明の詳細な説明】
【技術分野】
【０００１】この発明は、缶、びん等の容器、小箱、袋物などに収納された商品を、保管または陳列するためのショーケースや陳列棚に関するものである。特に缶、びん等の容器入り飲料等を仕分けして整列させるための仕切り板の構造およびその成形金型に関するものである。
【背景技術】
【０００２】従来から、百貨店、スーパーマーケット、コンビニエンスストア等の小売店の食料品売り場に於いて多種類の缶入り飲料水、瓶入り飲料水、合成樹脂製ボトル入り飲料水等が販売されている。この種のショーケース等における一般的な構造は、容器の取り出し方向に対して（手前側または扉側に行くにつれて）、低く傾斜する傾斜面を有する平板状の棚板と、前記棚板の上に載置され、かつ、前記取出方向に整列された複数個の容器を、前記傾斜面を介してスライド可能に収容するスライド板からなるものであった。
これらの各種飲料水商品は、通常、各種類毎に分けて陳列棚の前列側から奥側に向けて整列させており、棚板を５度から２０度程度手前方向に傾斜するように設置しているので、商品の取り出しに従って後列の商品が順次手前方向にスライドしてくるようになっている。客は陳列棚を見て自分が欲しい種類のものを選択しその最前列に置かれている商品から順次取り出して購入していく。一方、店員は残り少なくなってきた種類の商品を前列側へと送り出し奥側に新しい商品を補充していく。奥側に新しい商品を補充するのは、元から陳列している商品を先に販売する必要があるとともに、冷蔵室に商品を陳列している場合には客が購入する以前に前以て冷却しておく時間が必要であるからである。【０００３】ところが、陳列されている商品は購入客が選択するために手に取ったりしているうち段々と当初整列させた位置からずれてきて隣接する他の種類の商品との間で混り合ってくる。即ち、経時と共に陳列棚は煩雑となってくる。従って、店員は一定時間毎に陳列棚の商品を整列し直す必要がある。他方、出来るだけ人手は省力化したいという要請がある。さらに、整列が乱れることにより、通常は自重で手前側にスライドしてくるはずの商品が、スライドしてこないという問題が発生した。【０００４】缶、びん等の容器入り飲料等が、陳列販売される従来のショーケースや自動販売機、保温庫では、図７に示すように、スライド板または棚板に直立するように仕切り板６を載置するものがほとんどであり、直立を維持するために仕切り板の底部に底板１３をＬ字状に形成してスライド板上に載置していた。従来の仕切り板は単純にＬ字状の平板を使用するもので単に仕切れば良いという発想だけで作られていた。そのため、固定されない仕切り板ということで、容器の取出し時に容器の配列が乱れたり、ちょっとした振動で配列が崩れたりしてショーケースなどの仕切り板としては不適切であった。特許文献３のように、仕切り板を保持するための嵌合突起を有する固定プレートを採用する発明もあるが、Ｔ字状の底板を必要とするものでその底板部分が載置された容器のスライドを損ねるという欠点があった。
【特許文献１】特開２００１−３７６００公報
【発明の開示】
【発明が解決しようとする課題】
【０００５】そこで、本発明では、陳列されている商品が経時的に煩雑となっていくことを解決することにより、人手の省力化に資することができる陳列棚装置を提起することを課題とする。
容器の整列を確実にするための仕切り板であって、かつ、取り扱いやすい構造と軽量化のためのプラスチック製の仕切り板を提供することにある。
【課題を解決するための手段】
【０００６】本発明は、上記課題を解決するためのもので、以下の特徴を有する。
請求項１においては、
商品を陳列するための棚板と棚板上に載置された商品を仕切るための仕切り板において、平板状の仕切り板の両面に対称のリブをそれぞれ設けるとともに、前記仕切り板の両端近傍に、それぞれストッパーに係止される細長孔を形成したことを特徴とするプラスチック製仕切り板。
請求項２においては、前記請求項１に加えて、
前記格子状リブを、前記仕切り板の長手方向に対して斜めに形成して、前記仕切り板の反り防止と強度補強をしたことを特徴とするプラスチック製仕切り板。
請求項３においては、前記請求項１ないし２に加えて、
前記細長孔の少なくとも一方をだるま穴形状としたことを特徴とするプラスチック製仕切り板。
請求項４においては、前記請求項１ないし３に加えて、
前記平板状の仕切り板の両面に、射出成形機から射出される熔融樹脂を貯留するとともに、熔融樹脂を加圧して放出するための誘導帯を形成したことを特徴とするプラスチック製仕切り板。
請求項５においては、前記請求項１ないし４に加えて、
上部が鋸歯状に形成された鋸歯状係止板に装着されることを特徴としたプラスチック製仕切り板。
請求項６においては、
商品を陳列するための棚板と棚板上に載置された商品を仕切るための仕切り板において、
射出成形金型の上型と下型にそれぞれ仕切り板を形成する仕切り板用凹部と、前記仕切り板用凹部の底部に仕切り板の長手方向に対して斜めになる格子状リブ溝を形成して、成形品の反り防止と強度補強をしたことを特徴とするプラスチック製仕切り板を成形するための金型。
請求項７においては、
商品を陳列するための棚板と棚板上に載置された商品を仕切るための仕切り板において、
射出成形金型の上型と下型にそれぞれ仕切り板を形成する仕切り板用凹部と、前記仕切り板用凹部の底部に仕切り板の長手方向に対して斜めになる格子状リブ溝を形成するとともに、前記仕切り板用凹部の底部に射出成形機から射出される熔融樹脂を貯留するとともに、熔融樹脂を加圧して放出するための誘導帯溝を形成したことを特徴とするプラスチック製仕切り板を成形するための金型。
請求項８おいては、前記請求項６ないし７に加えて、
前記誘導帯溝を前記格子状リブ溝よりも浅く形成したことを特徴とするプラスチック製平板を成形するための金型。
請求項９においては、前記請求項６ないし８に加えて、
射出成形金型の上型と下型のそれぞれの平板用凹部と格子状リブ溝とを対称に形成し、溶融樹脂の射出後に、前記上型と前記下型に離型のための同等の負荷をかけるとともに、同じタイミングで前記上型と前記下型との離型操作をすることを特徴とする成形方法。
【発明の効果】
【０００７】本発明の請求項１ないし３においては、
ストッパーの上部から仕切り板を装着するために、仕切り板の底辺に細長孔を設けた構造なので、商品の入れ替え時や整列時の作業が容易になる利点がある。
さらに、斜め方向の格子状リブを設けることで、仕切り板の反り防止や強度補償ができるし、細長孔をだるま穴にすることでストッパーとの装着を確実にできるメリットがある。
請求項４においては、
仕切り板の成形を容易にするために、熔融樹脂を貯留するとともに、熔融樹脂を加圧して放出するための誘導帯を形成したので、平板状の成形品でのヒケなどを防止できる。
請求項５においては、ストッパー上部を鋸歯状にすることで、仕切り板との装着時には仮止め効果があり、装着後には確実な装着ができる。
請求項６ないし９においては、
上述の仕切り板を成形するための金型に関するもので、誘導帯溝を設けるなどして、平板状の仕切り板を成形容易にする効果がある。
【発明を実施するための最良の形態】
【０００８】以下に、実施例を掲げて本発明を具体的に説明するが、この発明の範囲はこれらの例示に限定されるものではない。また、本発明中の名称、説明において「陳列棚」という場合は、缶、びん等の容器入り飲料等が、陳列販売されるショーケースや自動販売機、保温庫や冷蔵庫等も含んで表現していることを前提とする。
本発明は、ショーケース１や自動販売機、保温庫や冷蔵庫の仕切り板に関するものである。コンビニエンスストアや駅の売店などでは、缶、びん等の容器入り飲料等が陳列販売する場合に、この種のショーケースや自動販売機、保温庫や冷蔵庫を使用している。この種のショーケース等は、容器の取り出し方向に対して扉側に行くにつれ低く傾斜する傾斜面を有する平板状のスライド板を有し、前記スライド板の上に載置された缶、びん等の容器がスライドして順次取り出せる構造になっている。【０００９】以下実施例に基いてさらに詳細に説明をする。
図１は、本発明の仕切り板６と、仕切り板６を係止するための係止部２を示すものである。仕切り板６は、全体としては平板状であり、その本体部分には水平方向に複数のリブ４が設けられる。このリブは、仕切り板の反り防止や強度を保持するための補強リブであって、同時に、容器の側面のスライドを補助するスライド板の役目も兼用する。仕切り板６の先端部分には細長孔７が設けられ、その上部はだるま穴８が形成されている。ストッパー１は、Ｌ字状でその縦長部分は容器のスライドを手前で止めることと転倒しないようにするためのストッパー部分と、底面には上方に突出した係止部２が設けられる。この係止部２の先端はボール状になっており、この係止部２に仕切り板６の細長孔７とだるま穴８が装着される。細長孔７とだるま穴８の組み合わせなので、係止部２へ装着される際には細長孔７が係止部２の先端のボール状部分で押し広げられ、仕切り板７をさらに押し下げると、だるま穴８は係止部２のボール状部分に完全に装着される。だるま穴との組み合わせなので、その固定力は非常に強く、多少の商品の押圧力では移動しない。したがって、商品の整列は乱れることは無いので、その管理は非常に容易になる。
嵌合部３は、棚板にスライド板が別途載置された場合に、そのスライド板がストッパー１に嵌合させるためのものである。
【実施例】
【００１０】図２は、本発明の他の実施例を示すもので、仕切り板６のリブを、格子状リブ１４にしたものである。加えて、誘導帯５を設けたものである。
前記誘導帯５は、射出成形する場合に、ゲートから流入する熔融材料を、格子状リブ１４よりも太径のリブであり、一定圧力を太径のリブに蓄えてから連通する細い格子状リブ１４に圧入するためのものである。この作用により熔融材料は格子状リブ１４の末端、さらには、仕切り板６の全体まで流入するように働き、低圧成形で仕切り板６の成形を可能とするものである。
理想的には仕切り板６のほぼ中心から放射状の形状をなし、かつ、仕切り板６の端部までは到達しない配置とする。
細長孔７は、係止部２に装着しやすいように、その開口部を一端の長さを異ならせている。【００１１】図３は、細長孔７の改良図を示すもので、細長孔７の弾性を増強するために切り欠き１２を設けたものである。この切り欠き１２が、かなりの応力を持つので、店によって異なるストッパー１の種々の厚みにも対応できる。また、格子状リブ１４の形状をひし形状に形成したものである。このひし形状は、仕切り板６の反りを少なくするという効果がある。格子状リブ１４は、仕切り板６の長手方向に斜行して形成するので、樹脂の流れ方向も仕切り板６の長手方向に沿って流れる。このために、成形時に変な負荷がかからず、かつ、いわゆる木目に沿って形成されているので仕切り板６は反りにくくなる。出願人の実験では、正方形または長方形の格子より、ひし形の格子は反りにくいという結果が得られている。
図４は、細長孔７の改良で、その一辺を垂直の開口部とし、ストッパー１に装着容易にしたものである。【０００１２】図５は、本発明の他の部材との組み合わせを示す実施例で、商品棚後部（図示しない）の設置される鋸歯状係止板９と、商品棚前部に設置される値札板１０に仕切り板６を装着する際の斜視図である。値札板１０は、商品のストッパーもかねている。
仕切り板６の後部の細長孔７は、上部が鋸歯状になった鋸歯状係止板に装着されるが、鋸歯状の凹部に細長孔７が嵌るようにしたので、仕切り板７の位置決めと固定が同時に行なえる。鋸歯は通常数ミリ程度の間隔で形成すれば殆どの容器の仕切り板に対応できる。【００１３】図６は、仕切り板６と値札板１０および棚板１１などの組み合わせ側面図である。仕切り板６の前方側の細長孔７が、蛇腹状の値札板１０に装着されようとしている図である。この値札板１０は商品のストッパーをかねるとともに、折り返された部分に値札が挿入されるタイプのものである。値札板１０全体を覆うように細長孔７が装着される。仕切り板６の後方側の細長孔７は、棚板１１に載置されている鋸歯状係止部９に装着される。図示はしないが、棚板１１の載置されている値札板１０と鋸歯状係止部９は、その底部をビス止めや嵌合などで棚板１１に固定される。【００１４】図８は、本発明の仕切り板６を成形する場合の金型の一例を示す断面図である。図３の仕切り板６を成形するときの断面を示すもので、金型１５に仕切り板用凹部溝６’とその底面に格子状リブ溝１４’が設けられている。端の鋭角な溝は、格子状リブ溝１４’が一本だけの断面で台形状の溝は二本の格子状リブ溝１４’が交わった部分の断面である。
図９は、本発明の仕切り板６を成形する場合の金型の他の例を示す断面図である。図４の仕切り板６を成形するときの断面を示すもので、金型１５に仕切り板用凹部溝６’とその底面に格子状リブ溝１４’が設けられている。さらに、溶融樹脂の流れを良くしヒケなどを生じさせないための誘導帯溝５’を設けたことが特徴である。端の鋭角な溝は、格子状リブ溝１４’が一本だけの断面で台形状の溝は二本の格子状リブ溝１４’が交わった部分の断面である
誘導帯溝５‘は、格子状リブ溝４’の溝よりも浅く彫られているが、これは仕切り板６の使い方次第で格子状リブ溝４’の溝よりも深く彫っても良い。
本実施例では、商品が側面で当たる可能性のある仕切り板なので、当たった際の障害にならないよう格子状リブ溝４’よりも浅く彫った例を示している。
この誘導帯溝５’があるために、成形機からの溶融樹脂が金型内で力強く流動し、仕切り板６を構成する場合の成形時にヒケなどの現象を引き起こさない。【００１５】図１０は、本発明の仕切り板６を成形するための金型１５の断面図と成形後に得られる仕切り板６を示すもので、上型と下型に、それぞれ仕切り板６を作るための仕切り板用凹部６’と格子状リブ溝１４’が対称に形成される。本発明の一実施例である両面彫りの場合は、溶融樹脂の射出後に前記上型と下型に離型のための同等の負荷をかけると、互いの型表面は同等の形状であるため、離型時にかかる負荷も同じ程度になる。このため、同じタイミングで離型操作をすることで押出しピンを用いなくても成形品である仕切り板６を簡単に離型できる。したがって、通常の離型のための押し出しピン用の押し出しピン孔が不要となり、金型製造が非常にやりやすく、かつ、押し出し動作による成形品の変形がなくなり、さらに、ショット数が上がるという利点がある。
【図面の簡単な説明】
【００１６】
【図１】本発明の仕切り板とストッパーの一例を示す側面図である。
【図２】本発明の仕切り板の他の一例を示す側面図である。
【図３】本発明の仕切り板の他の一例を示す側面図である。
【図４】本発明の仕切り板の他の一例を示す側面図である。
【図５】本発明の仕切り板とストッパー、係止板を示す斜視図である。
【図６】本発明の仕切り板とストッパーの他の一例を示す断面図である。
【図７】従来の仕切り板を示す断面図である。
【図８】本発明の仕切り板を成形するための金型を示す断面図である。
【図９】本発明の仕切り板を成形するための他の金型を示す断面図である。
【図１０】本発明の仕切り板を成形するための金型の断面図である。
【符号の説明】
【００１７】１    ストッパー
２    係止部
３    嵌合部
４    リブ
５    誘導帯
６    仕切り板
７    細長孔
８    だるま穴
９    鋸歯状係止部
１０  値札板
１１  棚板
１２  切り欠き
１３  底板
１４  格子状リブ
１５  金型
【図１】
2007029687.tif 000003
【図２】
2007029687.tif 000004
【図３】
2007029687.tif 000005
【図４】
2007029687.tif 000006
【図５】
2007029687.tif 000007
【図６】
2007029687.tif 000008
【図７】
2007029687.tif 000009
【図８】
2007029687.tif 000010
【図９】
2007029687.tif 000011
【図１０】
2007029687.tif 000012